(57)【要約】【課題】アダプタ、印刷流体カートリッジ、カートリッジ装着部の相対的な位置決め精度を向上できる手段を提供する。【解決手段】印刷流体収容装置は、カートリッジ装着部１１０に前方に挿入されるインクカートリッジ３０及びアダプタ１６０を備える。インクカートリッジ３０は、インクが収容される筐体３１と、筐体３１に収容されたインクを流出させるインク供給部３４と、外部から照射される光がアクセスされる収容体３３を有する被検知部３５と、カートリッジ装着部１１０と係合する突出部１７１とを備える。アダプタ１６０は、前方へインクカートリッジ３０が挿入される本体１６１と、本体１６１の上壁１６４の上面に配置されており、カートリッジ装着部１１０の接点１０６と導通されるＩＣ基板７４と、本体１６１の前壁１６２に形成されておりインク供給部３４が挿通される孔１６９とを備える。【選択図】図４
2018052011.tif 000002
【特許請求の範囲】
【請求項１】
カートリッジ装着部に挿入方向に挿入される印刷流体カートリッジ及びアダプタを具備する印刷流体収容装置であって、
上記印刷流体カートリッジは、印刷流体が収容される筐体と、当該筐体に収容された印刷流体を流出させる供給部と、外部から照射される光がアクセスされる光アクセス部を有する被検知部と、上記カートリッジ装着部と係合する係合部と、を有しており、
上記アダプタは、上記挿入方向へ上記印刷流体カートリッジが挿入される本体と、当該本体の外表面に配置されており、上記カートリッジ装着部の接点と導通される電気的インターフェースと、上記本体の上記挿入方向の前壁に形成されており上記供給部が挿通される孔と、を有する印刷流体収容装置。
【請求項２】
上記係合部は、上記印刷流体カートリッジが上記カートリッジ装着部において回動されることにより、上記カートリッジ装着部と係合するものである請求項１に記載の印刷流体収容装置。
【請求項３】
上記係合部は、上記印刷流体カートリッジが上記カートリッジ装着部に挿入された挿入姿勢において、上記筐体の上面に配置されている請求項２に記載の印刷流体収容装置。
【請求項４】
上記係合部は、上記筐体に対して回動可能なレバーに設けられたものである請求項１に記載の印刷流体収容装置。
【請求項５】
上記光アクセス部は、上記印刷流体カートリッジが上記カートリッジ装着部に挿入された挿入姿勢において、上記筐体の上面に配置されており、
上記本体は、上記前壁に対し上記挿入方向と反対方向に開口する開口と、当該開口と上記前壁との間に設けられた上壁と、上記光アクセス部を上記上壁から露出させる開口と、を有する請求項１から４のいずれかに記載の印刷流体収容装置。
【請求項６】
上記光アクセス部は、上記挿入姿勢において、上記係合部よりも上記挿入方向の前方に位置する請求項５に記載の印刷流体収容装置。
【請求項７】
上記アダプタは、上記挿入姿勢において、上記筐体の上面に配置されて、装着状態において上記光アクセス部に光を照射する光センサとは異なる光センサから照射される光を減衰する光減衰部を更に有する請求項５又は６に記載の印刷流体収容装置。
【請求項８】
上記光減衰部は、上記挿入姿勢において、上記光アクセス部よりも上記挿入方向の前方に位置する請求項７に記載の印刷流体収容装置。
【請求項９】
上記アダプタは、上記カートリッジ装着部と係合可能なアダプタ係合部を有している請求項１から８のいずれかに記載の印刷流体収容装置。
【請求項１０】
上記係合部は、上記アダプタと共にカートリッジ装着部に装着された状態において、上記アダプタに対する回動により上記カートリッジ装着部との係合が解除される位置に移動可能であり、
上記アダプタ係合部は、上記カートリッジ装着部に装着された状態において、上記挿入方向と反対方向へ移動することにより上記カートリッジ装着部との係合が解除される位置に移動可能である請求項９に記載の印刷流体収容装置。
【請求項１１】
上記印刷流体カートリッジは、上記カートリッジ装着部に挿入された挿入姿勢において、上記筐体を上記挿入方向と反対方向へ付勢する付勢部材を更に有する請求項１から１０のいずれかに記載の印刷流体収容装置。
【請求項１２】
上記光アクセス部は、上記筐体に収容されている上記印刷流体の量に応じて、上記外部から照射される光を減衰する第１位置と、当該光の光路から外れた第２位置とに姿勢変化可能なものである請求項１から１１のいずれかに記載の印刷流体収容装置。
【請求項１３】
請求項１から１１のいずれかに記載の印刷流体収容装置と、上記アダプタ及び上記印刷流体カートリッジを収容する収容空間を有するカートリッジ装着部と、を具備する印刷流体供給装置であって、
上記カートリッジ装着部は、装着状態の上記印刷流体カートリッジにおいて、上記被検知部に向けて光を照射する光センサと、上記電気的インターフェースと接続する接点と、上記供給部に接続するチューブと、を有しており、
上記光センサ及び接点は、上記収容空間のカートリッジ装着部に上部に配置されている印刷流体供給装置。
【請求項１４】
カートリッジ装着部に挿入方向に挿入されて、外部から照射される光がアクセスされる光アクセス部を有する被検知部、及び上記カートリッジ装着部と係合する係合部を有する印刷流体カートリッジと共に、当該カートリッジ装着部に収容されるアダプタであって、
上記挿入方向へ上記印刷流体カートリッジの筐体が挿入される本体と、
上記本体の上壁に配置されており、上記カートリッジ装着部の接点と導通される電気的インターフェースと、
上記本体の上記挿入方向の前壁に形成されており上記印刷流体カートリッジの供給部が挿通される孔と、
上記本体の上壁に設けられており、上記光アクセス部が挿通される孔と、を有するアダプタ。
【発明の詳細な説明】
【技術分野】
【０００１】
本発明は、印刷流体カートリッジ及びアダプタを備えた印刷流体収容装置及び印刷流体供給装置に関する。
【背景技術】
【０００２】
従来より、インクを用いて記録用紙に画像を記録する画像記録装置が知られている。画像記録装置は、インクジェット方式の記録ヘッドを備え、記録ヘッドのノズルからインク滴を記録用紙へ向けて選択的に噴出する。インク滴が記録用紙に着弾することによって、記録用紙に所望の画像が記録される。画像記録装置には、記録ヘッドへ供給するインクを貯蔵するインクカートリッジが設けられる。インクカートリッジは、画像記録装置に設けられた装着部に対して着脱可能である（特許文献１）。
【０００３】
インクカートリッジには、インクの色や材料、残量、メンテナンス状態などを個別に把握するために、メモリモジュールなどの電子部品が設けられることがある。メモリモジュールなどは、インクカートリッジがカートリッジ装着部に装着された状態において、カートリッジ装着部に設けられた接点と電気的に導通されて、記憶しているデータが読出し可能となる（特許文献２）。
【先行技術文献】
【特許文献】
【０００４】
【特許文献１】特開２００９−１３２０９８号公報
【特許文献２】特開２０１３−２１２５８７号公報
【発明の概要】
【発明が解決しようとする課題】
【０００５】
特許文献２に開示されているように、アダプタにメモリモジュールなどの電子部品を設けておき、アダプタをカートリッジ装着部に装着したままインクカートリッジのみを交換する構成が提案されている。しかし、この構成では、インクカートリッジ、アダプタ、カートリッジ装着部の相対的な位置関係が、各部材相互の圧入のみで決められている。このため、残量検知部や電子モジュールなどの位置が不安定となり、これらのセンシングにばらつきが生じやすかった。
【０００６】
本発明は、前述された事情に鑑みてなされたものであり、その目的は、アダプタ、印刷流体カートリッジ、カートリッジ装着部の相対的な位置決め精度を向上できる手段を提供することにある。
【課題を解決するための手段】
【０００７】
(1)  本発明に係る印刷流体収容装置は、カートリッジ装着部に挿入方向に挿入される印刷流体カートリッジ及びアダプタを具備する。上記印刷流体カートリッジは、印刷流体が収容される筐体と、当該筐体に収容された印刷流体を流出させる供給部と、外部から照射される光がアクセスされる光アクセス部を有する被検知部と、上記カートリッジ装着部と係合する係合部と、を有する。上記アダプタは、上記挿入方向へ上記印刷流体カートリッジが挿入される本体と、当該本体の外表面に配置されており、上記カートリッジ装着部の接点と導通される電気的インターフェースと、上記本体の上記挿入方向の前壁に形成されており上記供給部が挿通される孔と、を有する。
【０００８】
印刷流体カートリッジは、アダプタと共にカートリッジ装着部に挿入されて使用される。印刷流体カートリッジに収容された印刷流体が消費されると、印刷流体カートリッジがカートリッジ装着部から引き出され、新しい印刷流体カートリッジがカートリッジ装着部に挿入される。アダプタは、カートリッジ装着部に残されてもよいし、印刷流体カートリッジと共にカートリッジ装着部から引き出されてもよい。
【０００９】
印刷流体カートリッジは、係合部とカートリッジ装着部との係合によって、カートリッジ装着部に対して位置決めされる。これにより、光アクセス部と光センサとの位置決め精度が向上される。また、印刷流体カートリッジのみがカートリッジ装着部から取り外されることにより、電気的インターフェースが接点に対して摺動せず、削りカスが発生しにくい。
【００１０】
(2)  好ましくは、上記係合部は、上記印刷流体カートリッジが上記カートリッジ装着部において回動されることにより、上記カートリッジ装着部と係合するものである。
【００１１】
上記構成により、簡易な動作でカートリッジ装着部に対して印刷流体カートリッジを着脱できる。
【００１２】
(3)  好ましくは、上記係合部は、上記印刷流体カートリッジが上記カートリッジ装着部に挿入された挿入姿勢において、上記筐体の上面に配置されている。
【００１３】
上記構成により、カートリッジ装着部において印刷流体カートリッジを収容する空間の幅を小さくすることができる。
【００１４】
(4)  好ましくは、上記係合部は、上記筐体に対して回動可能なレバーに設けられたものである。
【００１５】
上記構成によれば、レバーの回動によって係合部とカートリッジ装着部との係脱が操作できるので、カートリッジ装着において係合部が移動するための空間をレバーのサイズに合わせて小さくすることができる。
【００１６】
(5)  好ましくは、上記光アクセス部は、上記印刷流体カートリッジが上記カートリッジ装着部に挿入された挿入姿勢において、上記筐体の上面に配置されており、上記本体は、上記前壁に対し上記挿入方向と反対方向に開口する開口と、当該開口と上記前壁との間に設けられた上壁と、上記光アクセス部を上記上壁から露出させる開口と、を有する。
【００１７】
挿入姿勢の筐体において、光アクセス部が供給部より上方に位置するので、印刷流体により光アクセス部が汚染されることが抑制される。また、光アクセス部がアダプタの本体の外部に露出されるので、アダプタの本体を印刷流体カートリッジの筐体に近いサイズにすることができる。
【００１８】
(6)  好ましくは、上記光アクセス部は、上記挿入姿勢において、上記係合部よりも上記挿入方向の前方に位置する。
【００１９】
上記構成によれば、印刷流体カートリッジがカートリッジ装着部から単独で取り外されるときに、光アクセス部の移動軌跡が、係合部と係合する部材と干渉しにくい。
【００２０】
(7)  好ましくは、上記アダプタは、上記挿入姿勢において、上記筐体の上面に配置されて、装着状態において上記光アクセス部に光を照射する光センサとは異なる光センサから照射される光を減衰する光減衰部を更に有する。
【００２１】
挿入姿勢において、係合部、光アクセス部、及び光減衰部が筐体の上側に位置するので、これらにアクセスする各部材がカートリッジ装着部の上部に配置可能である。
【００２２】
(8)  好ましくは、上記光減衰部は、上記挿入姿勢において、上記光アクセス部よりも上記挿入方向の前方に位置する。
【００２３】
上記構成によれば、カートリッジ装着部から印刷流体カートリッジが取り外されるときに、光アクセス部と光減衰部とが干渉しにくい。
【００２４】
(9)  好ましくは、上記アダプタは、上記カートリッジ装着部と係合可能なアダプタ係合部を有している。
【００２５】
(10)  好ましくは、上記係合部は、上記アダプタと共にカートリッジ装着部に装着された状態において、上記アダプタに対する回動により上記カートリッジ装着部との係合が解除される位置に移動可能であり、上記アダプタ係合部は、上記カートリッジ装着部に装着された状態において、上記挿入方向と反対方向へ移動することにより上記カートリッジ装着部との係合が解除される位置に移動可能である。
【００２６】
上記構成によれば、アダプタの係合を解除するための動作の方向と、印刷流体カートリッジの係合を解除するための動作の方向とが異なるので、誤操作が生じ難い。
【００２７】
(11)  好ましくは、上記印刷流体カートリッジは、上記カートリッジ装着部に挿入された挿入姿勢において、上記筐体を上記挿入方向と反対方向へ付勢する付勢部材を更に有する。
【００２８】
(12)  好ましくは、上記光アクセス部は、上記筐体に収容されている上記印刷流体の量に応じて、上記外部から照射される光を減衰する第１位置と、当該光の光路から外れた第２位置とに姿勢変化可能なものである。
【００２９】
(13)  本発明に係る印刷流体供給装置は、上記印刷流体収容装置と、上記アダプタ及び上記印刷流体カートリッジを収容する収容空間を有するカートリッジ装着部と、を具備する。上記カートリッジ装着部は、装着状態の上記印刷流体カートリッジにおいて、上記被検知部に向けて光を照射する光センサと、上記電気的インターフェースと接続する接点と、上記供給部に接続するチューブと、を有する。上記光センサ及び接点は、上記収容空間のカートリッジ装着部に上部に配置されている。
【００３０】
(14)  本発明は、カートリッジ装着部に挿入方向に挿入されて、外部から照射される光がアクセスされる光アクセス部を有する被検知部、及び上記カートリッジ装着部と係合する係合部を有する印刷流体カートリッジと共に、当該カートリッジ装着部に収容されるアダプタであって、上記挿入方向へ上記印刷流体カートリッジの筐体が挿入される本体と、上記本体の上壁に配置されており、上記カートリッジ装着部の接点と導通される電気的インターフェースと、上記本体の上記挿入方向の前壁に形成されており上記印刷流体カートリッジの供給部が挿通される孔と、上記本体の上壁に設けられており、上記光アクセス部が挿通される孔と、を有するアダプタとして捉えられてもよい。
【発明の効果】
【００３１】
本発明によれば、アダプタ、印刷流体カートリッジ、カートリッジ装着部の相対的な位置決め精度を向上できる。
【図面の簡単な説明】
【００３２】
【図１】図１は、本発明の一実施形態としてのカートリッジ装着部１１０を備えたプリンタ１０の内部構造を模式的に示す模式断面図である。
【図２】図２は、インクカートリッジ３０及びアダプタ１６０の外観構成を示す斜視図である。
【図３】図３は、インクカートリッジ３０及びアダプタ１６０の分解斜視図である。
【図４】図４は、インクカートリッジ３０及びアダプタ１６０の内部構成を示す断面図である。
【図５】図５は、カートリッジ装着部１１０の構成を示す断面図である。
【図６】図６は、インクカートリッジ３０がカートリッジ装着部１１０に装着される過程において突出部１７１がロックピン１１７よりも後方に位置する状態を示すインクカートリッジ３０及びカートリッジ装着部１１０の断面図である。
【図７】図７は、インクカートリッジ３０がカートリッジ装着部１１０に装着される過程において突出部１７１がロックピン１１７より下方に位置する状態を示すインクカートリッジ３０及びカートリッジ装着部１１０の断面図である。
【図８】図８は、インクカートリッジ３０がカートリッジ装着部１１０に装着された状態を示すインクカートリッジ３０及びカートリッジ装着部１１０の断面図である。
【図９】図９は、変形例において、インクカートリッジ３０がカートリッジ装着部１１０に装着された状態を示すインクカートリッジ３０及びカートリッジ装着部１１０の断面図である。
【発明を実施するための形態】
【００３３】
以下、適宜図面を参照して本発明の実施形態について説明する。なお、以下に説明される実施形態は本発明が具体化された一例にすぎず、本発明の要旨を変更しない範囲で実施形態を適宜変更できることは言うまでもない。
【００３４】
［プリンタ１０の概要］
図１に示されるように、プリンタ１０は、インクジェット記録方式に基づいて、記録用紙に対してインク滴を選択的に吐出することにより画像を記録するものである。プリンタ１０は、インク供給装置１００を備えている。インク供給装置１００には、カートリッジ装着部１１０が設けられている。カートリッジ装着部１１０には、インクカートリッジ３０（印刷流体カートリッジの一例）及びアダプタ１６０が装着され得る。カートリッジ装着部１１０には、その一面が外部に開放された開口１１２が設けられている。インクカートリッジ３０及びアダプタ１６０は、開口１１２を介してカートリッジ装着部１１０に挿入され、或いはカートリッジ装着部１１０から抜き出される。インクカートリッジ３０及びアダプタ１６０は、印刷流体収容装置の一例である。
【００３５】
インクカートリッジ３０には、プリンタ１０で使用可能なインク（印刷流体の一例）が収容されている。カートリッジ装着部１１０に装着された状態において、インクカートリッジ３０と記録ヘッド２１とがインクチューブ２０（チューブの一例）で接続されている。記録ヘッド２１にはサブタンク２８が設けられている。サブタンク２８は、インクチューブ２０を通じて供給されるインクを一時的に収容する。記録ヘッド２１は、インクジェット記録方式によって、サブタンク２８から供給されたインクをノズル２９から選択的に吐出する。
【００３６】
給紙トレイ１５から給紙ローラ２３によって搬送路２４へ送給された記録用紙は、搬送ローラ対２５によってプラテン２６上へ搬送される。記録ヘッド２１は、プラテン２６上を通過する記録用紙に対してインクを選択的に吐出する。これにより、画像が記録用紙に記録される。プラテン２６を通過した記録用紙は、排出ローラ対２２によって、搬送路２４の最下流側に設けられた排紙トレイ１６に排出される。
【００３７】
なお、特に言及しない限り、以下の説明において、インクカートリッジ３０及びアダプタ１６０は、挿入姿勢であるとする。挿入姿勢とは、図３に示されるように起立したインクカートリッジ３０が図３に示されるように起立したアダプタ１６０に、図２に示されるように後方から挿入された状態で、当該状態のインクカートリッジ３０及びアダプタ１６０が、図６〜図８に示されるようにカートリッジ装着部１１０に挿入された姿勢である。
【００３８】
［インク供給装置１００］
図１に示されるように、インク供給装置１００（印刷流体供給装置の一例）は、プリンタ１０に設けられている。インク供給装置１００は、プリンタ１０が備える記録ヘッド２１へインクを供給するものである。インク供給装置１００は、インクカートリッジ３０及びアダプタ１６０を装着可能なカートリッジ装着部１１０を備えている。なお、図１においては、カートリッジ装着部１１０にインクカートリッジ３０及びアダプタ１６０が装着された状態が示されている。
【００３９】
［インクカートリッジ３０］
図２〜図４に示されるように、インクカートリッジ３０はインクが収容される容器である。インクカートリッジ３０は、図２〜図４に示された起立状態、つまり、同図の下側の面を底面とし、同図の上側の面を上面として、カートリッジ装着部１１０に対して挿入方向５７及び取出方向５８に沿って挿抜される。挿入方向５７及び取出方向５８はそれぞれ水平方向に沿っている。インクカートリッジ３０は、起立状態のままカートリッジ装着部１１０に挿抜される。インクカートリッジ３０がカートリッジ装着部１１０に装着される向きが挿入方向５７（前方向５３）であり、取り出される向きが取出方向５８（後方向５４）である。また、起立状態における下方向５２が、重力方向に相当する。なお、本実施形態では、挿入方向５７及び取出方向５８が水平方向に沿っているが、挿入方向５７及び取出方向５８は、重力方向や、水平方向及び重力方向と交差する方向であってもよい。挿入方向５７及び取出方向５８が例えば重力方向であれば、インクカートリッジ３０の前面が下方へ向いていることになる。
【００４０】
［筐体３１］
図２〜図４に示されるように、インクカートリッジ３０は、平面又は曲面で構成される立体形状、例えば、略直方体形状の筐体３１を有する。筐体３１は、全体として、左方向５５及び右方向５６に沿った寸法が小さく、上方向５１及び下方向５２に沿った寸法と前方向５３及び後方向５４に沿った寸法が、左方向５５及び右方向５６に沿った寸法よりも大きい扁平形状である。
【００４１】
インクカートリッジ３０がカートリッジ装着部１１０へ装着されるときに挿入方向５７前方となる筐体３１の壁面が前面４０であり、挿入方向５７後方となる筐体３１の壁面が後面４１である。前面４０と後面４１とは、挿入方向５７及び取出方向５８において対向している。前面４０及び後面４１は、挿入方向５７及び取出方向５８に延びる左右一対の側面３７，３８、側面３７，３８と前面４０及び後面４１とを接続し、かつ前面４０の上端から後面４１の上端に渡って挿入方向５７及び取出方向５８に沿って拡がる上面３９、及び前面４０の下端から後面４１の下端に渡って挿入方向５７及び取出方向５８に渡って拡がる下面４２、の４つの壁によりそれぞれ区画されている。
【００４２】
なお、前面４０、後面４１、上面３９、下面４２、及び側面３７，３８のそれぞれは、必ずしも１つの平面で構成されている必要はなく、筐体３１を前方向５３、後方向５４、上方向５１、下方向５２、左方向５５及び右方向５６のそれぞれから視たときの投影面として認識できる複数の面の全体が、それぞれ前面４０、後面４１、上面３９、下面４２、及び側面３７，３８と認識されてもよい。
【００４３】
筐体３１の内部に形成されている空間が、インクが貯留されるインク室３６である。インク室３６は、筐体３１の前面４０と後面４１との間に位置する。
【００４４】
［インク供給部３４］
図２〜図４に示されるように、筐体３１の前面４０における下側に、インク供給部３４（供給部の一例）が設けられている。インク供給部３４は、円筒形状の外形をなしており、前面４０から前方に沿って突出している。インク供給部３４の突出端にはインク供給口７１が形成されている。
【００４５】
図４に示されるように、インク供給口７１からインク供給部３４の内部空間を通じてインク室３６へ通ずるインク流路７２が形成されている。インク供給口７１は、インク供給バルブ７０によって開閉可能に構成されている。インク供給バルブ７０は、インク流路７２に配置されたコイルバネ７３（付勢部材の一例）によってインク供給口７１を封止する方向、すなわち前方へ付勢されている。インクカートリッジ３０及びアダプタ１６０がカートリッジ装着部１１０に装着されると、カートリッジ装着部１１０に設けられたインクニードル１２２（図５参照）が、インク供給口７１に挿入されて、コイルバネ７３の付勢力に抗してインク供給バルブ７０を後方へ移動させる。これにより、インクニードル１２２の先端がインク流路７２に進入し、インク室３６からインク流路７２を通じてインクニードル１２２へインクが流出される。
【００４６】
なお、インク供給口７１は、必ずしもインク供給バルブ７０によって開閉可能な構成に限定されず、例えば、インク供給口７１がフィルムなどで閉塞されており、インクカートリッジ３０及びアダプタ１６０がカートリッジ装着部１１０に装着されると、インクニードル１２２がフィルムを突き破ることによりインク供給口７１が開かれる構成であってもよい。また、本実施形態では示されていないが、筐体３１には、負圧に維持された状態のインク室３６の気圧を外気圧とするための大気連通口が設けられていてもよい。
【００４７】
［被検知部３５］
図４に示されるように、被検知部３５は、収容体３３とセンサーアーム６０とを備えている。本実施形態においては、センサーアーム６０のインジケータ部６２と収容体３３とで構成される残量検知部（光アクセス部の一例）が上面３９から突出している。
【００４８】
図２〜図４に示されるように、筐体３１の上面３９における前方向５３及び後方向５４の中央付近には、収容体３３が設けられている。収容体３３は、インク室３６に通ずるように一方が開口された箱形である。収容体３３は、カートリッジ装着部１１０の光センサ１１４（図５参照）から出射されて、左方向５５又は右方向５６へ進行する光、例えば赤外光を透過させる透光性の樹脂からなる一対の壁と、収容体３３を確定する透光性の前壁、上壁及び後壁と、を有する。収容体３３を構成する壁は、左方向５５又は右方向５６へ進行する光を透過させる。収容体３３は、筐体３１に一体に形成されている。なお、収容体３３は、透光性の樹脂に対し、光が臨界角を越えた角度で入射されることによって、光を反射させる反射部材としてもよい。また、光は赤外光でもよいし、可視光であってもよい。
【００４９】
収容体３３の左右一対の壁の間はインクを収容可能とするために中空とされている。図４に示されるように、収容体３３の左右一対の壁の間にはセンサーアーム６０のインジケータ部６２が位置している。センサーアーム６０は、板状のアーム本体６１の上端に板状のインジケータ部６２が設けられ、後端にフロート部６３が設けられたものである。センサーアーム６０は、インク室３６において、左方向５５及び右方向５６に沿って延びる支軸６４に回動可能に支持されている。センサーアーム６０は、インク室３６に存在するインク量に対応して回動するものである。センサーアーム６０は、インジケータ部６２が収容体３３の前方の第１位置に位置する姿勢と、インジケータ部６２が収容体３３の後方の第２位置に位置する姿勢とに姿勢変化可能である。
【００５０】
なお、図４では、インクが所定量以上あり、インジケータ部６２が第１位置に位置するセンサーアーム６０の姿勢が実線により示されており、インジケータ部６２が第２位置に位置するセンサーアーム６０の姿勢が破線により示されている。
【００５１】
インクカートリッジ３０及びアダプタ１６０がカートリッジ装着部１１０に装着された状態（装着状態）において、カートリッジ装着部１１０に設けられた光センサ１１４（図５参照）に対して、収容体３３は、左方向５５又は右方向５６へ進行する赤外光を所定量以上透過させる状態と、収容体３３が赤外光を所定量未満に遮光又は減衰させる状態とに変化する。インジケータ部６２が第２位置にあれば収容体３３は赤外光の光路から外れて赤外光を透過させ、インジケータ部６２が第１位置にあれば、収容体３３は赤外光の光路上に位置して赤外光を遮光又は減衰させる。この収容体３３の透光状態に応じて、インク室３６内のインク残量が所定量未満になったことが判定される。
【００５２】
なお、収容体３３には、センサーアーム６０がなくてもよい。光センサ１１４は、発光素子と受光素子とが左方向５５及び右方向５６に対向して配置されたものである。光センサ１１４の発光素子から出射された光は、左方向５５又は右方向５６へ進行し、受光素子により受光される。インク室３６に所定量以上のインクがある状態では、発光素子から出射された赤外光が遮断又は減衰され、インク室３６のインク残量が所定量未満の状態では、発光素子から出射された赤外光が所定量以上透過されるように構成されていてもよい。また、逆に収容体３３がなくてもよく、代わりに残量検知部としてのレバーとそれを保持する柔らかいフィルムが構成されていてもよい。つまり、インク室３６内にインクがある状態ではフィルムが膨らんでおり、このフィルムに回動可能であって外部に露出するレバーが接触することによって、レバーが赤外光を遮断する位置に保持される。一方、インク室３６内にインクがない状態ではフィルムが萎んでおり、回動可能なレバーが下方へ回動して赤外光を遮断しない位置へ回動するように構成されていてもよい。また、インク室３６内にインクがある状態では、光センサ１１４の発光素子から出射された赤外光が受光素子に到達しないように反射され、インク室３６内にインクがない状態では、発光素子から出射された赤外光が受光素子に到達するように反射されるように構成されていてもよい。
【００５３】
［突出部１７１］
図２〜図４に示されるように、筐体３１の上面３９には、上方へ突出する突出部１７１（係合部の一例）が形成されている。突出部１７１は、収容体３３よりも後方に位置している。また、突出部１７１の上端は、収容体３３の上端よりも上方に位置する。つまり、収容体３３は、突出部１７１よりも挿入方向５７の前方且つ下方に位置する。突出部１７１は、後方を向く後面１７２と、前方を向く前面１７３とを備えている。
【００５４】
［アダプタ１６０］
図２〜図４に示されるように、アダプタ１６０は、インクカートリッジ３０の筐体３１を構成する外表面の少なくとも一部を覆う形状の本体１６１を有する。本実施形態において、本体１６１は、筐体３１の前面４０と、側面３７，３８の一部と、上面３９の一部と、下面４２の一部とを外から覆うことが可能な薄平な容器形状である。
【００５５】
本体１６１は、インクカートリッジ３０の筐体３１の前面４０の全てを覆うことが可能な幅（右方向５６に沿った長さ）及び高さ（上方向５１に沿った長さ）と、インクカートリッジ３０の側面３７，３８の一部、上面３９の一部、及び下面４２の一部を覆うことが可能な奥行き（後方向５４に沿った長さ）とを有する。つまり、本体１６１は、筐体３１の幅及び高さより一回り大きい幅及び高さを有し、かつ筐体３１の奥行きより短い奥行きを有する箱形状である。
【００５６】
本体１６１は、筐体３１の前面４０と対向する位置に前壁１６２を有する。本体１６１は、前壁１６２と後方向５４において対向しており、後方へ開口する開口１６３を有する。開口１６３を通じて、筐体３１が本体１６１に挿入可能である。つまり、本体１６１は、筐体３１が開口１６３を通じて挿入方向５７へ挿入されるものである。本体１６１は、筐体３１の上面３９と対向する位置に上壁１６４を有する。本体１６１は、筐体３１の側面３７，３８と対向する位置に側壁１６５、１６６を有する。本体１６１は、筐体３１の下面４２と対向する位置に下壁１６７を有する。上壁１６４、側壁１６５、１６６、及び下壁１６７は、前壁１６２と開口１６３との間に位置する。
【００５７】
アダプタ１６０は、図２〜４に示された起立状態、つまり、同図の下側の面を底面とし、同図の上側の面を上面として、カートリッジ装着部１１０に対して挿入方向５７及び取出方向５８に沿って挿抜される。挿入方向５７及び取出方向５８は水平方向に沿っている。アダプタ１６０は、起立状態のままカートリッジ装着部１１０に挿抜される。
【００５８】
本体１６１の前壁１６２の下部には、後方へ貫通する孔１６９が形成されている。孔１６９は、本体１６１にインクカートリッジ３０の筐体３１が挿入されると、筐体３１のインク供給部３４を外部へ露出させるための通路になる。したがって、孔１６９は、筐体３１のインク供給部３４と対応する位置、寸法及び形状に形成されている。
【００５９】
孔１６９の縁がインク供給部３４を支持することによって、アダプタ１６０は、インクカートリッジ３０を挿入姿勢に保持する。
【００６０】
［凸部１８０］
図４に示されるように、本体１６１の下壁１６７の下面には、下方へ突出した凸部１８０（アダプタ係合部の一例）が配置されている。凸部１８０は、弾性を有する部材で構成されており、上方へ弾性的に変形可能である。本体１６１がカートリッジ装着部１１０に装着された状態（図８に示される状態）において、凸部１８０は、後方を向く面を有しており、カートリッジ装着部１１０に形成された凹部１２３に嵌ることで、凹部１２３と係合している。これにより、アダプタ１６０がカートリッジ装着部１１０に対して、後方（挿入方向５７と反対方向）へ移動することが規制されている。
【００６１】
アダプタ１６０の本体１６１がカートリッジ装着部１１０に挿入される過程において、凸部１８０は、カートリッジ装着部１１０の底面１０５（図５参照）に押されて上方へ弾性変形する（図６参照）。本体１６１が更にカートリッジ装着部１１０に挿入されると、凸部１８０が凹部１２３に到達して、凸部１８０が凹部１２３に嵌る。これにより、凸部１８０と凹部１２３とが係合する（図８参照）。
【００６２】
なお、アダプタ１６０とカートリッジ装着部１１０との係合は、上述したような凸部１８０と凹部１２３によるものに限らず、公知の構成が採用可能である。
【００６３】
［光減衰部４３］
図２〜図４に示されるように、本体１６１の上壁１６４の上面には、光減衰部４３が配置されている。光減衰部４３は、本体１６１にインクカートリッジ３０の筐体３１が挿入された状態（図２に示される状態）において、収容体３３よりも挿入方向５７の前方に位置する。
【００６４】
光減衰部４３は、左方向５５及び右方向５６を厚み方向として上方へ延びる薄板のリブである。光減衰部４３の左方向５５及び右方向５６に沿った寸法は、収容体３３の左方向５５及び右方向５６に沿った寸法より小さい。アダプタ１６０がカートリッジ装着部１１０に装着された装着状態（図８に示される状態）において、光減衰部４３は、光センサ１１５（図５参照）から出射されて、左方向５５又は右方向５６へ進行する光、例えば赤外光を減衰又は遮断するものである
【００６５】
［ＩＣ基板７４］
図２〜図４に示されるように、本体１６１の上壁１６４の上面（外表面の一例）には、ＩＣ基板７４（電気的インターフェースの一例）が配置されている。ＩＣ基板７４は、光減衰部４３よりも前方に位置している。ＩＣ基板７４は、インクカートリッジ３０がカートリッジ装着部１１０に装着された装着状態（図８参照）において接点１０６と導通する。
【００６６】
ＩＣ基板７４には、ＩＣと、ＨＯＴ電極、ＧＮＤ電極及びシグナル電極の３つの電極７５が搭載されている。ＩＣは、半導体集積回路であり、インクカートリッジ３０に関する情報のうちインクカートリッジ３０の交換に伴って更新が不要な情報、例えば、インク色や製造元などの情報を示すデータが読み出し可能に格納されている。
【００６７】
ＨＯＴ電極、ＧＮＤ電極及びシグナル電極はＩＣと電気的に接続されている。ＨＯＴ電極、ＧＮＤ電極及びシグナル電極は、それぞれが前方向５３及び後方向５４に沿って延出されており、左方向５５及び右方向５６に離間されて配置されている。ＨＯＴ電極、ＧＮＤ電極及びシグナル電極は、ＩＣ基板７４の上面に電気的にアクセス可能に露出されている。つまり、ＨＯＴ電極、ＧＮＤ電極及びシグナル電極は、装着状態のインクカートリッジ３０の上方からアクセス可能に露出されている。図８に示されるように、装着状態において、カートリッジ装着部１１０の底面１０５（図５参照）に本体１６１の下壁１６７が当接して支持されることにより、本体１６１の上壁１６４に設けられたＩＣ基板７４が接点１０６と電気的に導通された状態に保持される。
【００６８】
［カートリッジ装着部１１０］
図５に示されるように、カートリッジ装着部１１０の筐体を形成するケース１０１は、プリンタ１０の正面側に開口１１２を有する。開口１１２を通じてケース１０１へインクカートリッジ３０及びアダプタ１６０が内部空間１１３（収容空間の一例）へ挿抜される。つまり、インクカートリッジ３０及びアダプタ１６０が内部空間１１３へ収容可能であるケース１０１には、シアン、マゼンタ、イエロー、ブラックの各色に対応する４つのインクカートリッジ３０及びアダプタ１６０が収容可能であるが、図５においては、１つのインクカートリッジ３０及びアダプタ１６０が収容可能なケース１０１の空間が示されている。
【００６９】
図５に示されるように、ケース１０１の終面１０２の下部に接続部１０３が設けられている。接続部１０３は、終面１０２において、ケース１０１に装着された各インクカートリッジ３０のインク供給部３４に対応する位置にそれぞれ配置されている。
【００７０】
接続部１０３は、インクニードル１２２と、保持部１２１とを有する。インクニードル１２２は、管状の樹脂針からなる。インクニードル１２２は、ケース１０１の終面１０２と表裏をなす外面側でインクチューブ２０に接続されている。各インクニードル１２２からケース１０１の終面１０２と表裏をなす外面側へ引き出された各インクチューブ２０は、ケース１０１の当該外面に沿って上方へ引き上げられたのち、プリンタ１０の記録ヘッド２１へインクを流通可能に延出されている。なお、図５においては、インクチューブ２０は省略されている。
【００７１】
保持部１２１は、円筒状に形成されている。保持部１２１の中心にインクニードル１２２が配置されている。図８に示されるように、インクカートリッジ３０及びアダプタ１６０がカートリッジ装着部１１０に装着されると、インク供給部３４が保持部１２１の円筒の内側に挿入される。このとき、インク供給部３４の外周面が保持部１２１の円筒の内周面に密着する。これにより、インク供給部３４が保持部１２１へ所定の間隔をもって挿入される。インク供給部３４が保持部１２１へ挿入されると、インクニードル１２２がインク供給部３４のインク供給口７１に挿入される。これにより、インク室３６に収容されているインクが外部へ流出可能となる。インク室３６から流出されたインクは、インクニードル１２２へ流入する。
【００７２】
図５に示されるように、ケース１０１の内部空間を区画する天面１０４において、光センサ１１４、１１５が設けられている。光センサ１１５は、光センサ１１４よりも前方に位置する。
【００７３】
光センサ１１４、１１５の各々は、ＬＥＤなどの発光素子と、フォトトランジスタなどの受光素子とを有する。発光素子及び受光素子は、それぞれが筐体に囲まれている。光センサ１１４、１１５は、この筐体により形成される外形が馬蹄形である。発光素子は、筐体から一方向、本実施形態では、左方向５５又は右方向５６へ光を照射可能である。受光素子は、筐体に対して一方向から照射された光を受光可能である。このような発光素子と受光素子とが、馬蹄形の筐体において左方向５５及び右方向５６へ所定の間隔を空けて対向配置されている。
【００７４】
光センサ１１４の発光素子と受光素子との間の空間には、インクカートリッジ３０の光減衰部４３及び収容体３３が進入可能である。光センサ１１５の発光素子と受光素子との間の空間には、インクカートリッジ３０の光減衰部４３が進入可能である。図８に示される装着状態となって光センサ１１４の光路に収容体３３が進入すると、光センサ１１４は、収容体３３に向けて光を照射することで、収容体３３による透過光量の変化を検知し得る。装着状態となって光センサ１１５の光路に光減衰部４３が進入すると、光センサ１１５は、光減衰部４３に光を照射することで、光減衰部４３による透過光量の変化を検知し得る。
【００７５】
図５に示されるように、ケース１０１の天面１０４において、光センサ１１５より終面１０２に近い位置に接点１０６が設けられている。接点１０６は、左方向５５及び右方向５６に離れて３個が配置されている。３個の接点１０６の配置は、インクカートリッジ３０のＩＣ基板７４におけるＨＯＴ電極、ＧＮＤ電極及びシグナル電極の配置に対応している。各接点１０６は、導電性及び弾性を有する部材で構成されており、上方へ弾性的に変形可能である。
【００７６】
各接点１０６は、電気回路を介して演算装置に電気的に接続されている。演算装置は、例えばＣＰＵ，ＲＯＭ，ＲＡＭなどからなるものであり、プリンタ１０の制御部として構成されていてもよい。接点１０６とＨＯＴ電極とが電気的に導通されることによって、電圧ＶｃがＨＯＴ電極に印加される。接点１０６とＧＮＤ電極とが電気的に導通されることにより、ＧＮＤ電極がアースされる。接点１０６とＨＯＴ電極及びＧＮＤ電極とが導通されることによって、ＩＣに電力が供給される。接点１０６とシグナル電極とが電気的に導通されることにより、ＩＣに格納されたデータにアクセス可能となる。電気回路からの出力は演算装置に入力される。
【００７７】
図５に示されるように、ケース１０１の天面１０４において、光センサ１１４より開口１１２に近い位置にロックピン１１７が設けられている。ロックピン１１７は、左方向５５及び右方向５６に沿って延びる円柱形状の部材である。ロックピン１１７は、インクカートリッジ３０及びアダプタ１６０がカートリッジ装着部１１０に挿入される過程において、ＩＣ基板７４、光減衰部４３、及び収容体３３と当接しない位置、すなわち装着状態におけるＩＣ基板７４、光減衰部４３、及び収容体３３より上方に配置されている。図８に示される装着状態において、突出部１７１の後面１７２はロックピン１１７と係合して、インクカートリッジ３０及びアダプタ１６０を装着状態に保持する。
【００７８】
［インクカートリッジ３０及びアダプタ１６０の装着動作］
以下、図６〜図８が参照されつつ、インクカートリッジ３０がカートリッジ装着部１１０に装着される動作が説明される。
【００７９】
例えば、ユーザがプリンタ１０を購入した後、初めてプリンタ１０を使用する際には、カートリッジ装着部１１０に何れの色のインクカートリッジ３０及びアダプタ１６０も装着されていない。そして、ユーザがカートリッジ装着部１１０にインクカートリッジ３０及びアダプタ１６０を初めて装着する前の状態では、インクカートリッジ３０とアダプタ１６０とは組み付けられていない。
【００８０】
図２に示されるように、インクカートリッジ３０にアダプタ１６０が組み付けられる。この状態で、インクカートリッジ３０がカートリッジ装着部１１０へ挿入される。このとき、アダプタ１６０は、後方からインクカートリッジ３０に押されるようにして、インクカートリッジ３０と一体にカートリッジ装着部１１０へ挿入される。
【００８１】
インクカートリッジ３０及びアダプタ１６０がカートリッジ装着部１１０へ挿入されると、図６に示されるように、凸部１８０は、カートリッジ装着部１１０の底面１０５に支持される。このとき、凸部１８０は、底面１０５に押されて上方へ弾性変形する。凸部１８０が弾性変形した状態のまま、インクカートリッジ３０及びアダプタ１６０はカートリッジ装着部１１０の内部空間１１３を前方へ移動する。
【００８２】
インクカートリッジ３０及びアダプタ１６０がカートリッジ装着部１１０に装着される過程において、突出部１７１の前面１７３が、カートリッジ装着部１１０のロックピン１１７に後方から当接する。これにより、インクカートリッジ３０及びアダプタ１６０の挿入が規制された状態となる。この状態において、ユーザによって、インクカートリッジ３０は、その前部を中心として、その後部が下方に移動するように回動される。
【００８３】
具体的には、ユーザによって、インクカートリッジ３０の上面３９の後端部が下方へ押されるとインクカートリッジ３０は、挿入姿勢を維持しようとする力に抗して、インク供給部３４（詳細にはインク供給部３４においてアダプタ１６０の孔１６９と当接してアダプタ１６０に対して位置決めされている部分）を中心として下方へ回動する（図７参照）。なお、インクカートリッジ３０とカートリッジ装着部１１０の底面１０５との間には、インクカートリッジ３０が下方へ回動するための隙間１１１が形成されている。また、インクカートリッジ３０とアダプタ１６０の下壁１６７との間には、インクカートリッジ３０が下方へ回動するための隙間１７６が形成されている。
【００８４】
なお、インクカートリッジ３０は、上記のようにカートリッジ装着部１１０への挿入途中で回動されてもよいし、挿入される前に回動された状態とされ、当該状態のままカートリッジ装着部１１０へ挿入されてもよい。
【００８５】
インクカートリッジ３０の回動により、図７に示されるように、突出部１７１がロックピン１１７よりも下方に位置する。この状態において、インクカートリッジ３０及びアダプタ１６０がカートリッジ装着部１１０の内部空間１１３を更に前方へ移動される。これにより、突出部１７１がロックピン１１７よりも前方に位置する。この状態において、ユーザによって、インクカートリッジ３０は、その前部を中心として、その後部が上方に移動するように回動される。つまり、インクカートリッジ３０は、図に示される矢印１７５の方向へ回動される。
【００８６】
これにより、突出部１７１の後面１７２が前方からロックピン１１７に当接可能となる（図８参照）。つまり、突出部１７１の後面１７２がロックピン１１７と係合可能となる。
【００８７】
図８に示されるように、インクカートリッジ３０及びアダプタ１６０がカートリッジ装着部１１０に装着された装着状態において、インクカートリッジ３０の突出部１７１の後面１７２は、カートリッジ装着部１１０のロックピン１１７の前方に位置して当接する。装着状態において、インクカートリッジ３０の筐体３１には、インク供給部３４において圧縮されたコイルバネ７３から取出方向５８（後方）への付勢力が作用する。これにより、後面１７２が前方からロックピン１１７と当接して係合することによって、コイルバネ７３の付勢力に抗して、インクカートリッジ３０が装着状態に保持される。なお、アダプタ１６０には、コイルバネ７３の付勢力は作用しない。
【００８８】
図７に示される状態から、インクカートリッジ３０及びアダプタ１６０がカートリッジ装着部１１０の内部空間１１３を更に前方へ移動されと、凸部１８０が凹部１２３の真上に位置する。これにより、凸部１８０は、弾性復帰されて、凹部１２３へ嵌る。その結果、凸部１８０と凹部１２３とは係合されて、アダプタ１６０がカートリッジ装着状態に保持される。
【００８９】
図８に示されるように、インクカートリッジ３０及びアダプタ１６０がカートリッジ装着部１１０に装着された状態（装着状態）において、光減衰部４３は、光センサ１１５の発光素子と受光素子との間に位置し、光センサ１１５によって検知される。これにより、光センサ１１５の検知信号が変化するので、この信号の変化によって、プリンタ１０の制御部は、インクカートリッジ３０及びアダプタ１６０がカートリッジ装着部１１０へ挿入されたことを判別する。
【００９０】
また、図８に示されるように、装着状態において、収容体３３内に位置するセンサーアーム６０のインジケータ部６２は、光センサ１１４の発光素子と受光素子との間に位置する。そのため、光センサ１１４によってインジケータ部６２が検知される。これにより、光センサ１１４の検知信号が変化する。例えば、光センサ１１４の検知信号がハイレベルからローレベルに変化する。
【００９１】
インク室３６に存在するインク量が減少すると、センサーアーム６０は、第１位置（図４に実線で示される位置）から第２位置（図４に破線で示される位置）に回動する。その結果、センサーアーム６０のインジケータ部６２は、光センサ１１４の発光素子と受光素子との間から離間する。これにより、光センサ１１４の検知信号が上記とは逆に変化する。例えば、光センサ１１４の検知信号がローレベルからハイレベルに変化する。その結果、プリンタ１０の制御部は、インク室３６に存在するインク量が減少したことを判別する。
【００９２】
また、インクカートリッジ３０及びアダプタ１６０がカートリッジ装着部１１０に装着される過程において、アダプタ１６０から外部へ露出されたインク供給部３４は保持部１２１に接し、インクニードル１２２が、インク供給部３４のインク供給口７１に挿入される。インクニードル１２２がインク供給口７１に挿入されてインク供給バルブ７０に接し、さらにインクカートリッジ３０及びアダプタ１６０が前方へ移動されると、図６〜図８に示されるように、インク供給バルブ７０がインクニードル１２２に押されてインク供給口７１から離れる。これにより、インクニードル１２２の先端がインク流路７２に進入し、インク室３６からインク流路７２を通じてインクニードル１２２へインクが流出される。
【００９３】
インクカートリッジ３０及びアダプタ１６０がカートリッジ装着部１１０に装着される過程（装着過程）において、ＩＣ基板７４の各電極７５の位置は、前方から視て、カートリッジ装着部１１０の接点１０６と上方向５１及び下方向５２においてオーバーラップしている。アダプタ１６０の本体１６１の上壁１６４は、装着過程において接点１０６を上方へ押し上げるように弾性的に変形させる。装着状態において、弾性復元力により下方へ付勢された接点１０６が本体１６１の上壁１６４に配置されたＩＣ基板７４の電極７５と電気的に接触して、ＩＣ基板７４の電極７５（ＨＯＴ電極、ＧＮＤ電極及びシグナル電極）と電気的に導通された状態となる。ＩＣ基板７４から読み出された情報は、インクカートリッジ３０のインク色や製造元などの判定ために用いられる。この判定方法については、従来より公知の手法を採用することができるので、ここでは詳細な説明が省略される。
【００９４】
インクカートリッジ３０がカートリッジ装着部１１０から取り外されるときには、ユーザによって、インクカートリッジ３０は、カートリッジ装着部１１０への挿入時と同様に、その前部を中心として、その後部が下方に移動するように回動される。これにより、突出部１７１が下方へ移動してロックピン１１７よりも下方に位置する。これにより、後面１７２とロックピン１１７との係合が解除されて、インクカートリッジ３０は、コイルバネ７３の付勢力によって取出方向５８（後方）へ移動する。
【００９５】
つまり、突出部１７１は、インクカートリッジ３０がアダプタ１６０と共にカートリッジ装着部１１０に装着された状態において、インクカートリッジ３０のアダプタ１６０に対する回動によりカートリッジ装着部１１０との係合が解除される位置に移動可能であり、
【００９６】
インクカートリッジ３０が取出方向５８へ移動することによって、インクニードル１２２がインク供給部３４から抜け出る。また、収容体３３が光センサ１１４よりも後方へ移動する。これにより、光センサ１１４の検知信号が変化する。
【００９７】
上記のようにインクカートリッジ３０が回動されて、インクカートリッジ３０がカートリッジ装着部１１０から取り外された場合でも、アダプタ１６０はカートリッジ装着部１１０に装着された状態を維持される。次に、インクカートリッジ３０がカートリッジ装着部１１０へ挿入される場合、インクカートリッジ３０は、アダプタ１６０が装着されたカートリッジ装着部１１０へ、単体で挿入される。
【００９８】
なお、アダプタ１６０は、嵌合などの公知の手段によってインクカートリッジ３０と係合されていてもよい。そして、インクカートリッジ３０がカートリッジ装着部１１０から取り外されるときに、アダプタ１６０は、インクカートリッジ３０と一体にカートリッジ装着部１１０から取り外されてもよい。
【００９９】
インクカートリッジ３０が装着されていない状態のカートリッジ装着部１１０からアダプタ１６０が取り外されるときには、ユーザによって、アダプタ１６０の本体１６１が後方へ移動される。このとき、ユーザが本体１６１を後方へ移動する力によって、凸部１８０は上方へ弾性変形し、凹部１２３から抜け出る。これにより、アダプタ１６０をカートリッジ装着部１１０から取り外すことができる。
【０１００】
つまり、凸部１８０は、アダプタ１６０がカートリッジ装着部１１０に装着された状態において、アダプタ１６０が挿入方向５７と反対方向の取出方向５８（後方）へ移動することによりカートリッジ装着部１１０との係合が解除される位置に移動可能である。すなわち、凸部１８０のカートリッジ装着部１１０との係合を解除するためのアダプタ１６０の移動方向（後方）と、突出部１７１のカートリッジ装着部１１０との係合を解除するためのインクカートリッジ３０の移動方向（回動方向）とは、異なる方向である。
【０１０１】
［本実施形態の作用効果］
本実施形態によれば、インクカートリッジ３０は、アダプタ１６０と共にカートリッジ装着部１１０に挿入されて使用される。インクカートリッジ３０に収容されたインクが消費されると、インクカートリッジ３０がカートリッジ装着部１１０から引き出され、新しいインクカートリッジ３０がカートリッジ装着部１１０に挿入される。アダプタ１６０は、カートリッジ装着部１１０に残されてもよいし、インクカートリッジ３０と共にカートリッジ装着部１１０から引き出されてもよい。
【０１０２】
インクカートリッジ３０は、突出部１７１とカートリッジ装着部１１０との係合によって、カートリッジ装着部１１０に対して位置決めされる。これにより、残量検知部と光センサ１１４との位置決め精度が向上される。また、インクカートリッジ３０のみがカートリッジ装着部１１０から取り外されることにより、ＩＣ基板７４が接点１０６に対して摺動せず、削りカスが発生しにくい。
【０１０３】
また、本実施形態によれば、インクカートリッジ３０の回動という簡易な動作でカートリッジ装着部１１０に対してインクカートリッジ３０を着脱できる。
【０１０４】
また、本実施形態によれば、突出部１７１が筐体３１の上面３９に配置されているため、カートリッジ装着部１１０においてインクカートリッジ３０を収容する空間の幅を小さくすることができる。
【０１０５】
また、本実施形態によれば、挿入姿勢の筐体３１において、収容体３３がインク供給部３４より上方に位置するので、インクにより収容体３３が汚染されることが抑制される。また、収容体３３がアダプタ１６０の本体１６１の外部に露出されるので、アダプタ１６０の本体１６１をインクカートリッジ３０の筐体３１に近いサイズにすることができる。
【０１０６】
また、本実施形態によれば、インクカートリッジ３０がカートリッジ装着部１１０から単独で取り外されるときに、収容体３３の移動軌跡が、突出部１７１と係合する部材であるロックピン１１７と干渉しにくい。
【０１０７】
また、本実施形態によれば、挿入姿勢において、突出部１７１、収容体３３、及び光減衰部４３が筐体３１の上側に位置するので、これらにアクセスする各部材がカートリッジ装着部１１０の上部に配置可能である。
【０１０８】
また、本実施形態によれば、光減衰部４３が収容体３３よりも前方に位置するため、カートリッジ装着部１１０からインクカートリッジ３０が取り外されるときに、収容体３３と光減衰部４３とが干渉しにくい。
【０１０９】
また、本実施形態によれば、アダプタ１６０の係合を解除するための動作の方向と、インクカートリッジ３０の係合を解除するための動作の方向とが異なるので、誤操作が生じ難い。
【０１１０】
［変形例１］
前述されたインクカートリッジ３０には、突出部１７１に代えて、本体１６１に対して回動可能であり、かつ、板バネ９１に上方へ付勢されたレバー９０が設けられてもよい。
【０１１１】
図９に示されるように、筐体３１には、上面３９から上方へ突出する支持部９２が設けられている。支持部９２の上端付近には、左方向５５及び右方向５６に沿って延びる支軸９３が設けられている。レバー９０は、支軸９３に本体１６１に対して回動自在に支持されている。
【０１１２】
レバー９０は、上面３９において、収容体３３の後方から上方及び後方へ向かう斜め上方へ延びている。レバー９０は、前方向５３及び後方向５４の中央付近に下方へ延びる係合面９４（係合部の一例）が段差として形成された概ね平板形状である。係合面９４は、前述されたインクカートリッジ３０の突出部１７１の後面１７２と同様に、カートリッジ装着部１１０のロックピン１１７と係合可能である。レバー９０の延出端部は操作部９５であり、レバー９０において、筐体３１の上面３９より最も上方に位置しており、かつ筐体３１の後面４１より後方に位置する。
【０１１３】
レバー９０と筐体３１の上面３９との間には、板バネ９１が介在されている。板バネ９１は、レバー９０を上方へ、換言すれば図９における時計回り方向へ付勢している。なお、板バネ９１は、外力が付与されない自然状態において、レバー９０又は筐体３１のいずれか一方にのみ接触している状態であってもよい。レバー９０は、支持部９２との当接によって、上方への回動限界が規制されている。図９には、上方への回動限界にあるときのレバー９０が実線で記載されている。このときのレバー９０の位置が第１位置である。レバー９０が第１位置のとき、係合面９４とロックピン１１７との高さが同一であり、互いに係合可能である。例えばユーザの操作によって、操作部９５が下方へ押されることによって、レバー９０は、板バネ９１の付勢力に抗して下方へ回動して、係合面９４及び操作部９５が筐体３１の上面３９に近づく。このときのレバー９０の位置が第２位置である。図９には、第２位置のレバー９０が破線で示されている。レバー９０が第２位置のとき、係合面９４は、ロックピン１１７よりも下方に位置する。このため、レバー９０を第２位置に回動することで、アダプタ１６０は、ロックピン１１７に妨げられることなく、カートリッジ装着部１１０に対して挿抜可能となる。
【０１１４】
上記実施形態では、インクカートリッジ３０を装着状態とするために、インクカートリッジ３０を回動させて、突出部１７１の後面１７２をロックピン１１７と係合させる必要があった。しかし、変形例１では、インクカートリッジ３０を装着状態とするために、レバー９０を回動させて図９に示されるように係合面９４をロックピン１１７と係合させればよく、インクカートリッジ３０全体を回動させる必要はない。
【０１１５】
変形例１によれば、レバー９０の回動によって係合面９４とカートリッジ装着部１１０のロックピン１１７との係脱が操作できるので、カートリッジ装着において係合面９４が移動するための空間をレバー９０のサイズに合わせて小さくすることができる。
【０１１６】
［その他の変形例］
上記実施形態及び変形例１では、ＩＣ基板７４及び光減衰部４３は、アダプタ１６０の上壁１６４の上面に位置していたが、当該上面以外（例えば側壁１６５の右面）に位置していてもよい。
【０１１７】
上記実施形態及び変形例１では、突出部１７１、レバー９０、及び収容体３３は、インクカートリッジ３０の筐体３１の上面３９に位置していが、上面３９以外（例えば側面３７）に位置していてもよい。
【０１１８】
なお、前述された実施形態及び各変形例では、インクカートリッジ３０は、収容体３３及び光減衰部４３を有するが、インクカートリッジ３０には、収容体３３又は光減衰部４３はいずれか一方のみが設けられていてもよい。
【符号の説明】
【０１１９】
３０・・・インクカートリッジ（印刷流体カートリッジ）
３１・・・筐体
３３・・・収容体
３４・・・インク供給部（供給部）
３５・・・被検知部
７４・・・ＩＣ基板（電気的インターフェース）
１０６・・・接点
１１０・・・カートリッジ装着部
１６０・・・アダプタ
１６１・・・本体
１６２・・・前壁
１６４・・・上壁
１６９・・・孔
１７１・・・突出部（係合部）
【図１】
2018052011.tif 000003
【図２】
2018052011.tif 000004
【図３】
2018052011.tif 000005
【図４】
2018052011.tif 000006
【図５】
2018052011.tif 000007
【図６】
2018052011.tif 000008
【図７】
2018052011.tif 000009
【図８】
2018052011.tif 000010
【図９】
2018052011.tif 000011